(57)【要約】【課題】  フェース部材でゴルフボールを打撃したときにフェース部材が十分に撓み、これにより飛距離および打感が向上するゴルフクラブヘッドを提供する。【解決手段】  フェース面３０にフェース開口部３２を有するヘッド本体３４と、上記フェース開口部を閉塞するフェース部材３６とを具備する中空ゴルフクラブヘッドにおいて、フェース開口部の上縁およびフェース部材の上縁の一部または全部をクラウン部３８にまで延ばす。【選択図】      図１
2006166975.tif 000002
【特許請求の範囲】
【請求項１】
フェース面にフェース開口部を有するヘッド本体と、前記フェース開口部を閉塞するフェース部材とを具備する中空ゴルフクラブヘッドにおいて、前記フェース開口部の上縁および前記フェース部材の上縁の一部または全部がクラウン部にまで延びていることを特徴とするゴルフクラブヘッド。
【請求項２】
ヘッド本体が鋳造により一体成形されていることを特徴とする請求項１に記載のゴルフクラブヘッド。
【請求項３】
フェース部材が鍛造法またはプレスフォーミング法により成形されていることを特徴とする請求項１または２に記載のゴルフクラブヘッド。
【請求項４】
ヘッド本体とフェース部材とがプラズマ溶接、レーザ溶接または電子ビーム溶接により接合されていることを特徴とする請求項１〜３のいずれか１項に記載のゴルフクラブヘッド。
【請求項５】
フェース部材の図心位置とフェース面上のヘッド重心位置との間の距離が０〜５ｍｍであることを特徴とする請求項１〜４のいずれか１項に記載のゴルフクラブヘッド。
【発明の詳細な説明】
【技術分野】
【０００１】
本発明は、中空ゴルフクラブヘッドに関する。
【背景技術】
【０００２】
従来、中空ゴルフクラブヘッドとして、図４、図５に示すように、フェース面１０にフェース開口部１２を有するヘッド本体１４と、上記フェース開口部１２を閉塞するフェース部材１６とを具備するものがある（例えば、特許文献１参照）。
【０００３】
上述したような中空ゴルフクラブヘッド、特に最近のチタン合金製の中空ゴルフクラブヘッドは、製造技術の向上によってさらなる大型化が可能となっている。また、ヘッドの大型化だけでなく、深重心化により、ボール打撃時のヘッドの返り易さやボールの上がり易さを向上させる研究も進んでいる。
【０００４】
【特許文献１】特開２００１−１３７３９６号公報
【発明の開示】
【発明が解決しようとする課題】
【０００５】
図４、図５に示したような中空ゴルフクラブヘッドは、フェース面上のヘッド重心位置（ゴルフクラブヘッドの実際の重心をフェース面に垂直に投影した点）とフェース部材の図心位置とができるだけ近いこと、特にフェース面上のヘッド重心位置とフェース部材の図心位置とが一致していることが、ボール打撃時におけるフェース部材の撓みが大きくなり、飛距離および打感が向上する点で好ましい。なお、図心とは、図形の面積を力と考えてその合力を求めたとき、その作用点に相当する点をいう。また、ゴルフクラブヘッドの実際の重心は、図５において符号Ｇで示すようにゴルフクラブヘッド内の中空部に位置している。
【０００６】
しかし、前述したヘッドの深重心化により、図４、図５に示すように、フェース面上のヘッド重心位置Ａがフェース部材の図心位置Ｂよりかなり上方になり、フェース部材１６でゴルフボールを打撃したときにフェース部材１６が十分に撓まず、飛距離が不十分になるとともに、打感が悪くなることがあった。
【０００７】
本発明は、前述した事情に鑑みてなされたもので、ヘッド本体のフェース開口部にフェース部材が固着されたゴルフクラブヘッドであって、フェース部材でゴルフボールを打撃したときにフェース部材が十分に撓み、これにより飛距離および打感が向上するゴルフクラブヘッドを提供することを目的とする。
【課題を解決するための手段】
【０００８】
本発明は、前記目的を達成するため、フェース面にフェース開口部を有するヘッド本体と、前記フェース開口部を閉塞するフェース部材とを具備する中空ゴルフクラブヘッドにおいて、前記フェース開口部の上縁および前記フェース部材の上縁の一部または全部がクラウン部にまで延びていることを特徴とするゴルフクラブヘッドを提供する。
【０００９】
本発明のゴルフクラブヘッドは、フェース部材の上縁の一部または全部をクラウン部にまで延ばしたので、フェース部材の図心位置が図４、図５のゴルフクラブヘッドに較べて上方になる。そのため、フェース面上のヘッド重心位置とフェース部材の図心位置とを図４、図５のゴルフクラブヘッドより近づけたり、フェース面上のヘッド重心位置とフェース部材の図心位置とを一致させたりすることができる。したがって、本発明のゴルフクラブヘッドは、フェース部材でゴルフボールを打撃したときにフェース部材が十分に撓み、飛距離および打感が向上する。
【発明の効果】
【００１０】
本発明のゴルフクラブヘッドは、フェース部材でゴルフボールを打撃したときにフェース部材が十分に撓むため、飛距離が増大するとともに、良好な打感を得ることができる。
【発明を実施するための最良の形態】
【００１１】
以下、本発明の実施の形態を図面を参照して説明するが、本発明は下記例に限定されるものではない。図１は本発明に係るゴルフクラブヘッドの一実施形態を示す斜視図、図２は同ゴルフクラブヘッドの図１Ｘ−Ｘ端面図、図３は同ゴルフクラブヘッドのフェース部材の斜視図である。
【００１２】
本例のゴルフクラブヘッドは、フェース面３０にフェース開口部３２を有するチタニウム合金（具体的にはＴｉ−６Ａｌ−４Ｖ）製のヘッド本体３４と、フェース開口部３２を閉塞するチタニウム合金（具体的にはＳＡＴ２０４１）製のフェース部材３６とを具備する。
【００１３】
本例のゴルフクラブヘッドは、フェース開口部３２の上縁がクラウン部３８にまで延びているとともに、それに対応して上記フェース開口部３２を閉塞するフェース部材３６の上縁もクラウン部３８にまで延びている。そのため、フェース面３０上のヘッド重心位置Ｃと、フェース部材３６の図心位置Ｄとが一致した状態となっている。したがって、本例のゴルフクラブヘッドは、フェース部材３６でゴルフボールを打撃したときにフェース部材３６が十分に撓むため、飛距離が増大するとともに、良好な打感を得ることができる。
【００１４】
本発明において、フェース開口部の上縁およびフェース部材の上縁の一部または全部をクラウン部にまで延ばす態様に特に限定はなく、フェース面上のヘッド重心位置とフェース部材の図心位置とをできるだけ近づけたり、フェース面上のヘッド重心位置とフェース部材の図心位置とを一致させたりするように、フェース開口部の上縁の一部または全部をヘッド本体のクラウン部に入り込ませ、クラウン部の一部とフェース部材の上縁の一部または全部とを当接させる態様であればよい。
【００１５】
本発明において、ヘッド本体は一体に形成してもよく、複数の部材を接合して形成してもよい。また、ヘッド本体の材質や成形方法に限定はないが、材質としてはチタニウム合金が好ましく、成形方法としては鋳造により一体成形することが好ましい。
【００１６】
本発明において、フェース部材の材質や成形方法も特に限定されないが、材質としてはチタニウム合金が好ましく、成形方法としては鍛造法またはプレス加工によるプレスフォーミング法が適当である。
【００１７】
また、ヘッド本体とフェース部材との接合方法に限定はないが、接合箇所をきれいに仕上げる点、ゴルフクラブヘッドの重量精度を高める点などで、プラズマ溶接、レーザ溶接または電子ビーム溶接により接合することが好適である。この場合、プラズマ溶接としては、プラズマアークによる高温エネルギーで被溶接材料を溶解して再凝固させ、溶接を行う公知のプラズマ溶接を使用することができる。レーザ溶接としては、ＣＯレーザ、ＣＯ２レーザ等の気体レーザや、ＹＡＧレーザ等の固体レーザを用いた公知のレーザ溶接を使用することができる。電子ビーム溶接としては、適宜出力の電子ビームを用いた公知の電子ビーム溶接を使用することができる。なお、プラズマアーク溶接を使用する際には、接合部に余盛りができるようフィラーワイヤ等を接合部材間に溶加させることが、溶接部材間の寸法精度が悪くても溶接性、溶接強度を向上させることができる点で好ましい。
【００１８】
本発明のゴルフクラブヘッドでは、各部の寸法等を下記のように設定することが飛距離および打感の向上の点で特に有効である。
（１）フェース部材の図心位置とフェース面上のヘッド重心位置との間の距離を０〜５ｍｍ、特に０〜３．５ｍｍとすることが好ましい。
（２）重心深度を３０〜４０ｍｍ、特に３２〜３５ｍｍとすることが好ましい。
（３）フェース高さを５０〜６５ｍｍ、特に５５〜６０ｍｍとすることが好適である。
【００１９】
なお、本発明のゴルフクラブヘッドは前述した例に限定されるものではなく、本発明の要旨を逸脱しない範囲で種々変更することができる。例えば、前記実施形態ではフェース開口部の上縁およびフェース部材の上縁のほぼ全部をクラウン部にまで延ばしたが、フェース開口部の上縁およびフェース部材の上縁の一部のみをクラウン部にまで延ばしてもよい。
【実施例】
【００２０】
下記実施例１、実施例２および比較例のゴルフクラブヘッドを作製した。
［実施例１］
フェース面上のヘッド重心位置とフェース部材の図心位置とが一致した図１〜図３に示した前記実施形態のゴルフクラブヘッドであって、フェース面の上下方向中心位置の３．８ｍｍ上方に上記フェース面上のヘッド重心位置およびフェース部材の図心位置が存在するゴルフクラブヘッド。
［実施例２］
フェース面上のヘッド重心位置とフェース部材の図心位置とが一致した図１〜図３に示した前記実施形態のゴルフクラブヘッドであって、フェース面の上下方向中心位置の３．７ｍｍ上方に上記フェース面上のヘッド重心位置およびフェース部材の図心位置が存在するゴルフクラブヘッド。
［比較例］
フェース面上のヘッド重心位置とフェース部材の図心位置とが一致していない図４、図５に示したゴルフクラブヘッドであって、フェース面の上下方向中心位置の３．２ｍｍ上方に上記フェース面上のヘッド重心位置が存在するゴルフクラブヘッド。
【００２１】
上記実施例１、実施例２および比較例のゴルフクラブヘッドを用いたゴルフクラブを作製し、このゴルフクラブを用いてプロゴルファーによる試打を行った。結果を表１に示す。表１の結果より、本発明のゴルフクラブヘッドによれば飛距離が増大することが分かる。なお、実打データによれば、上級者およびプロゴルファーの１番ウッドにおける打点は、フェース面の上下方向中心位置よりやや上方に集中していた。したがって、本発明のゴルフクラブは、特に上級者およびプロゴルファーの使用により効果が上がるものである。
【００２２】
【表１】
2006166975.tif 000003
【図面の簡単な説明】
【００２３】
【図１】本発明に係るゴルフクラブヘッドの一実施形態を示す斜視図である。
【図２】図１のゴルフクラブヘッドの同図Ｘ−Ｘ端面図である。
【図３】図１のゴルフクラブヘッドのフェース部材の斜視図である。
【図４】従来のゴルフクラブヘッドの一例を示す斜視図である。
【図５】図４のゴルフクラブヘッドの同図Ｙ−Ｙ端面図である。
【符号の説明】
【００２４】
３０  フェース面
３２  フェース開口部
３４  ヘッド本体
３６  フェース部材
３８  クラウン部
【図１】
2006166975.tif 000004
【図２】
2006166975.tif 000005
【図３】
2006166975.tif 000006
【図４】
2006166975.tif 000007
【図５】
2006166975.tif 000008